(57)【要約】  この発明は、ＯＡフロアサポート材の改良に関し、このサポート材（１）は、その第一実施例のオプション（１ａ）において、逆Ｕ字型セクション（２）と、その上部に長手方向に取付けられたバー（３）とを具え、バー（３）は表層側フロアのプレート（Ｐ）用の二つの水平なサポート面（４）を区切っていて、サポート材（１）をサブフロアに直接固定する手段（５）が設けられており、サポート材（１）の垂直壁（６）には、あらゆる種類の配管、ケーブル、ワイヤー(Ｆ）の通路となる「チャンネル」を区切る開口部（７）が設けられている。第二実施例のオプション（１ｂ）においては、上記サポート材（１）が逆Ｔ字型のセクション（８）で構成され、セクション（８）の下側に支持、保持、及び係留する手段（９）が取付けられているほか、高さの嵩上げと調整のための拡張セット（１０）が取付けられている。【選択図】図１１
2011503392.tif 000002
【特許請求の範囲】
【請求項１】
ＯＡフロアサポート材の改良において、該サポート材が、相当のプラスティック材料を用いて射出成形工程によって製造されたものであり、その第一実施例のオプション（１ａ）において、上側に長手方向に垂直な中央バー（３）を取り付けた逆Ｕ字型のセクション（２）を具え、前記バー（３）が、表層側フロアのプレート（Ｐ）のサイドエッジを支持する二つの水平支持面（４）を区切っており、前記水平支持（４）に前記サポート材（１）をサブフロアに直接固定する手段（５）が設けられており、一方、前記サポート材（１）の垂直壁（６）には無数の開口部（７）が互いに整列して設けられており、あらゆる種類の配管や、ケーブルやワイヤリング（Ｆ）の通路となる「チャンネル」を区切っていることを特徴とするサポート材の改良。
【請求項２】
請求項１に記載のＯＡフロアサポート材の改良において、前記サポート材（１ａ）をサブフロアに直接固定する手段（５）が、下側垂直パイプを具え、このパイプを通ってネジ（ｐ）がねじ込まれていることを特徴とするサポート材の改良。
【請求項３】
請求項１に記載のＯＡフロアサポート材の改良において、前記サポート材（１ａ）の垂直壁（６）に設けた開口部（７）が、適宜の形状であることを特徴とするサポート材の改良。
【請求項４】
請求項１および３に記載のＯＡフロアサポート材の改良において、前記サポート材（１ａ）の垂直壁（６）に設けた開口部（７）が、円弧状であることを特徴とするサポート材の改良。
【請求項５】
請求項１に記載のＯＡフロアサポート材の改良において、前記サポート材（１）の第一実施例のオプション（１ａ）の簡素化されたバリエーション（１ａａ）は、上側バー（３）がなく、表層側フロアを支持する補助サポート材となることを特徴とするサポート材の改良。
【請求項６】
請求項１に記載のＯＡフロアサポート材の改良において、サポート材（１）は、第二実施例のオプション（１ｂ）において、逆Ｔ字型のセクション（８）を具えており、当該セクションの上側垂直ブランチが中央バー（３）もしくはクレストを具え、これが表層側フロアのプレート（Ｐ）のサイドエッジを支持する二つの水平面（４）に区切っており、その下側で前記サポート材（１ｂ）が支持、保持、及び係留の手段（９）によって取付けられていることを特徴とするサポート材の改良。
【請求項７】
請求項１および６に記載のＯＡフロアサポート材の改良において、前記サポート材（１ｂ）のセクション（８）を支持、保持、及び係留する手段（９）が、垂直な固定用パイプ（５）を具えることを特徴とするサポート材の改良。
【請求項８】
請求項１および６に記載のＯＡフロアサポート材の改良において、前記サポート材（１）の第二実施例のオプション（１ｂ）の簡素化されたバリエーション（１ｂｂ）において、前記サポート材（１）にバー（３）がないことを特徴とするサポート材の改良。
【請求項９】
請求項１および６に記載のＯＡフロアサポート材の改良において、前記垂直バー（３）もしくはクレストが、断面が望ましくは台形であり、短辺が上にあることを特徴とするサポート材の改良。
【請求項１０】
請求項１、５、６および８に記載のＯＡフロアサポート材の改良において、フロアのサポート材（１）を所望の高さを高くして、これによって下側の通過エリアを嵩上げする拡張セット（１０）を具えることを特徴とするサポート材の改良。
【請求項１１】
請求項１、５、６、８および１０に記載のＯＡフロアサポート材の改良において、第１バージョンにおいて、前記拡張セット（１０）は、中空の部品（１１）と、カップ型係留ブッシュ（１２）を具え、内側あるいは外側に、前記チューブ（１１）の下端部もしくはベースが取付けられており、当該チューブ（１１）の上端で、前記サポート材（１）の対応するパイプ（５、９）を受けることを特徴とするサポート材の改良。
【請求項１２】
請求項１、５、６、８および１０に記載のＯＡフロアサポート材の改良において、前記拡張セット（１０）の第２バージョンにおいて、前記垂直パイプ（１１）が外ネジが切られた下側のストレッチ（１３）を具え、前記係留ブッシュ（１２）は中空で、下端に外向きのフランジ（１４）が設けられて、内ネジ（１５）が切られており、ここにチューブ（１１）の外ネジ付きストレッチ（１３）がねじ込まれ、チューブ（１０）のストレッチ（１３）にネジでとめたロックナット（１６）が設けられており、これとブッシュ（１２）の間で所望の高さに位置決めしてロックすることを特徴とするサポート材の改良。
【請求項１３】
請求項１、５、６、８、１０および１２に記載のＯＡフロアサポート材の改良において、フランジ付きベース（１４）を接着することによって、前記係留ブッシュ（１２）がフロアに直接固定されていることを特徴とするサポート材の改良。
【発明の詳細な説明】
【技術分野】
【０００１】
この発明は、ＯＡフロアの組立及び固定システムに用いられるサポート材の改良に係るものであり、ＯＡフロアの組付けを簡略化、且つ、最適化する。
【背景技術】
【０００２】
技術動向で知られているとおり、電力線や電話線、ロジックケーブル、配管、空調用ダクトその他を床下に通す必要があり、容易且つ迅速なアクセスを必要とするスペースにおいて、これらのメインテナンスと、このスペースのレイアウト変更の双方を実現するためにＯＡフロアシステムは広く用いられている。
【０００３】
公知のＯＡフロアは、建物のフロアあるいは一段低くなったサブ・フロア上に直接装着された金属製の構造体で出来ており、その上に、木製あるいはその他の耐久性ある適宜の材質で出来た取外し可能なパネルやプレートが設置されており、その表面に所望の床表面材が後から敷設される。この構造体は、人工フロア用にサポート材そのものを構成する多数のピースから成る。
【０００４】
このように、既知のＯＡフロアは、殆どのものが、台座または地面への固定用に下端部脚部を取り付けた垂直ピンと、フロアを構成するパネルやプレートが直接固定される上端部にあるプラットフォームとで構成されており、これらには、それぞれ、高さ調整手段が取付けられている。
【０００５】
その他の既知のＯＡフロアは、上述の垂直ピンに固定されたビームまたはセクション材を用いており、その上にパネルあるいはプレートのエッジが支持されている。
【０００６】
また、地平面あるいはサブフロアに支持された、あるいは直接固定されたサポートビームまたはセクション材を使用しているＯＡフロアもある。
【０００７】
ＤＥ３８２１７４２２の明細書は、Ｌ字型ヘッドを取付けた金属製の角度付きセクション材で構成されるサポート材であって、このヘッドの上にフロアプレートを寄り掛からせるようにしたものを提示している。しかしながら、このセクション材はメインセクションの垂直ブランチにスロットを切ることによって固定するプレートを支持するサイドタブを一つしか提示しておらず、もう一つのサイドタブを確保するために追加「クリップ」を具える別のモデルが提供されており、結果として部品点数が過剰になり、組み付けが複雑になる。
【０００８】
ＤＥ１９７３３６４７の明細書は、上側中央のブランチを形成する金属製シートを折り曲げて形成した金属製のセクション材と、フロアプレートを上に載せる二つのサイドブランチと、端部が内側に折畳まれた垂直で平行な二本の脚部とで構成され、支持脚部の遠位端に固定用突起を作っているサポート材を示している。
【０００９】
このサポート材の不利な点は、セクション材の最終構造が機械的な曲げ加工に依存しており、作業工賃が高いという事実、及び、地平面からの空間を維持するための脚部あるいはカラムにセクション材を固定しなければならないという事実であり、結果として部品点数がより多くなってしまい、それはまた製品の最終的な価格が上がることになる。
【発明の概要】
【００１０】
この発明の目的は、射出成型法によって適宜の合成樹脂素材で一体的に構成し製造されるＯＡフロアのサポート材を提供することであり、このサポート材は全体的に構造及び操作を簡単なものにし、結果として非常に廉価な製品を提供する。
【００１１】
この新規で革新的なサポート材は、第一実施例のオプションにおいて、上側長手方向に、中央垂直バーか、あるいは、二つの水平サイドサポートを区切る「クレスト」を取り付けた逆Ｕ字型のセクション材と、一般的なフロアプレート材（タイルや、木、アルミ、合成樹脂、鉄、シェラック、大理石等々何らかの種類のフロアプレート）のサイドエッジ用の接着タブとによって構成されている。これらプレートの接着はまた、４点のベース部分においてのみ行うことができ、この結果、塗布する接着剤を実質的に節約できる。
【００１２】
このサポート材は、前記サイドタブの下側から突出している、底にドリルで穴開けした小さな垂直のカップ型チューブを通したネジとブッシュによって、サブフロアに直接固定することも可能である。
【００１３】
更に、このサポート材のＵ字型セクションの垂直な側壁には、多数の開口部が整列して設けられていて、表層フロアの下に配設されるケーブルやワイヤー、配管その他を通すための空間を構成している。これらの開口部は様々な形状にすることが可能であり、望ましい実施例において、これらは円弧状となっている。
【００１４】
ここで完成の域に達したこのようなサポート材の革命的な構造上の単純さによって、製造においても使用においても、多用途性や経済性といった数え切れないほどの有利さをもたらす。これは上記セクション材を標準サイズのバーに製造することができ、セクション材は作業現場で所望の長さにカットされ、残余無く部材そのものが完全に活用されるようになるので、製造工程や製品在庫、及び現場での使用が合理的になるためである。
【００１５】
この新規なサポート材のもう一つ重要な利点は、どのような長さ、幅、高さの正方形及び／又は長方形のプレート、タイルその他の組み込みを同じ表層側フロアで行うことができることである。
【００１６】
幅木とドアストッパを支持するために、同じサポート材も適用することもできる。なぜなら、このような場合、問題となる床部分の長さと幅に応じた間隔をあけてサポート材を配置することで充分であるからである。
【００１７】
幅木を組込むためには、セクション材を壁と平行に隣接させて設置すれば充分であり、これによって、幅木は壁とセクション材のクレスト（図１３を参照）の間に挟まれることになる。
【００１８】
更に、このサポート材に設定された中央の基準線あるいはクレストは、フロア自体を形成するプレート及び／又はタイルの間の取り付けや仕上げ用の補助的なエレメントにもなっているため、コーキングを適用する必要がある場合に、この製品に使われる分が実質的に少なくなる。
【００１９】
このサポート材を用いる第一実施例のオプションにおける簡単なバリエーションでは、中央のバーまたはクレストバーが無く、したがって、サイズが大きいプレートあるいはタイル、及び／又は薄いプレートあるいはタイルを保持する補助サポート材を構成して、そこで起こり得る割れや亀裂をなくすようにしている（図９を参照）。
【００２０】
この新規なサポート材の第二実施例のオプションにおいては、上記サポート材は、逆Ｔ字型セクションとなっており、その垂直のブランチが同じく中央のバーもしくはクレストを構成している。この新規セクション材の支持部は、ベース部分の中央にサブフロアへの固定または係留用の穴が開いているカップ型の垂直なチューブでできており、従って、非常に高い衝撃耐性を確保するという目的もある。
【００２１】
第一実施例のオプションと同様に、このクレストはサポート材を同じ幅の二つのタブに分割しており、仕上がったフロアプレート間の仕切として作用し、その高さがより低くなっているので、これらの部材にコーキングをするためのギャップを形成している。
【００２２】
前記クレストも、長方形、正方形、菱形、台形及び／又は平行四辺形といった様々な形状に仕上げられたフロアのフレームとして作用し、サブフロアに係留したベース部分に、中央に穴が開いたカップ型パイプを有するセクション材の各側面のセクターは、非常に大きい衝撃荷重に耐えるよう作用する。
【００２３】
このサポート材の第二実施例のオプションにおける簡単なバリエーションにおいて、上記セクション材は、クレスト無しでも提供され、デリケートなフロア（サイズが大きく且つ薄い）や、破損し易いフロアへの追加的な補強となる。更に、壁の垂直な平面にもたれさせて係留したクレスト無しのサポート材は、幅木を壁に接着させるための押さえとして作用し、ベース部分にて、幅木及び／又は仕上げたフロアピースで支持されている（図１９）。
【００２４】
更に、全実施例のオプションおよびバージョンにおいて、このサポート材を更に多用途なものにし、したがって、ＯＡフロアの組付けの可能性を広げるために、図２０に示されるように、プラスティック製の「チック壁」拡張セットを用いることによって、高さを１．２０ｍまで上げることが可能である。第１バージョンにおいては、このセットは、垂直パイプと、ベース部分中央に穴をあけたカップ型の固定用ブッシュとで構成されていて、この固定用ブッシュ内で、内側もしくは外側に垂直パイプ下端部が取付けられており（図２１および図２２）、上端にカップ型固定用ブッシュの取り付け部品を受けている。
【００２５】
拡張セットの第２バージョン（図２３および図２４）では、外ねじ付き下側ストレッチを設けた垂直パイプが示されており、これに対して係留用ブッシュは中空で、下側に外に広がるフランジが付いており、内ネジを設けて前記パイプの下端を取付けられるように構成されている。
【００２６】
所望の高さでこれらの二つの部品間のねじをロックするために、フロアの高さを変えられるようになっており、ナットが設けられており、補強パイプに同様にネジが切られている。この係留用のブッシュは、これを床に直接接着して固定する。
【００２７】
要約すれば、これらは、表層側フロアのサポート材によってもたらされる資材節減であり、簡素化であって、この発明が目的とするところは：
ａ）射出成型法もしくは真空モールド法によって製造されるプラスティック部品は、その構造上の概念から、原料物質が少なくて済み、高い耐圧性と耐衝撃性がある；
ｂ）サブフロアへの係留用には、最少限度のブッシュ着ネジを用いるだけである；
ｃ）部品本体上のクレストによって、正方形、長方形、台形、菱形あるいは平行四辺形といったあらゆる形状のフレームで、フロアの仕上がり形状を組み立てることができる；
ｄ）このクレストは、仕上がりフロアプレート間の隙間を完全に等距離にすることで、好みの規則性を持たせ、コーキング材の使用を節約する；
ｅ）逆Ｔ字型のサポート材は、その二つのタブに、ベース部分の中心に穴をあけたカップ型パイプを具えており、これらのカップ型のパイプは逆Ｔ字型タブでの配置を変えることによって重量のある負荷を支持し、この中心の穴はネジとプラスティク製ブッシュを用いて、部品をサブフロアに係留する通路と係留リードとして機能する；
ｆ）仕上がりフロアのタイルの四箇所のみで接着し；
ｇ）敷き込みのためのパテ等を全面的に排除し；
ｈ）仕上がりフロア部品を固定する作業の合理的なスピードアップを実現し；
ｉ）バーの取付けと係留の合理的なスピードアップを実現し；
ｊ）プレート間を固定を迅速かつ安全に行い；
ｋ）フロアプレートからの圧力は、タブとカップ型のサポートパイプにのみ掛かり； 
ｌ）シリコン、セメント、接着剤などによるコーキングの消費量が少なく；  
ｍ）デザインや組み込みの作業時間を低減し；
ｎ）作業現場で製品の部品を使い切り（残余物や切断片など）；
ｏ）在庫の合理化を図り；
ｐ）厚い壁で囲われた一般的なプラスティック製のパイプは、カップ型のパイプをカプセル化して高さを最大１．２０ｍにすることが可能であり；
ｑ）上述のパイプの高さを超えるパイプは、ネジでサブフロアに係留されたブッシュを用いて、あるいはコーキングによって据え付けられ、ブッシュの係留位置の後に、サポート材のカップ型パイプの配列を行い；
ｒ）垂直パイプと係留しているブッシュとをネジで固定することによって、拡張セットの高さをミリ単位で調整することができ、それによって、フロアレベルを完璧に調節することができる。
【図面の簡単な説明】
【００２８】
この発明とそれに付帯する多くの利点をより正しい認識は、添付図面と関連して詳細な説明を参照することによって、容易に理解される。
【図１】図１は、第一実施例のオプションにおける新規サポート材の斜視図である。
【図２】図２は、図１にＡ−Ａ線で示す部分の断面を示す図である。
【図３】図３は、図１にＢ−Ｂ線で示す、前記サポート材の別の断面を示す図である。
【図４】図４は、上記サポート材に装着された、小さなサイズのプレート及び／又はタイル用の表層側フロアの上面概略図である。
【図５】図５は、図４に示すフロアの細部の概略部分分解斜視図である。
【図６】図６は、上記サポート材を装着した、幅が狭く長いプレートを用いた表層側フロアの上側概略図である。
【図７】図７は、図６に示す部分の細部についての概略部分的分解斜視図である。
【図８】図８は、第一実施例のこのオプションの簡略化されたバリエーションを用いた、サイズが大きいプレート用の補助サポート材を構成する、表層側フロアの上側概略図である。
【図９】図９は、図８に示す部分の細部についての概略部分的分解斜視図である。
【図１０】図１０は、主バージョンにおける新規サポート材で構成された表層側フロアのサポート構造の平面図である。
【図１１】図１１は、図１０にＣ−Ｃ線で示した部分の断面図であり、この発明の対象であるサポート材の下を通るワイヤーの通路を示している。
【図１２】図１２は、図１０にＤ−Ｄ線で示した部分の断面図である。
【図１３】図１３は、幅木を設けて装着した表層側フロアの部分断面図である。
【図１４】図１４は、第二実施例のオプションで用いた新規のサポート材を示す斜視図である。
【図１５】図１５は、図１４にＥ−Ｅ線で示した部分の断面図である。
【図１６】図１６は、図１４にＦ−Ｆ線で示した部分の断面図である。
【図１７】図１７は、セクション材の側面図である。
【図１８】図１８は、セクション材の平面図である。
【図１９】図１９は、横断線でカットした図であり、本サポート材の第二実施例のオプションの簡略化したバリエーションである。すなわちクレストが無く、壁の垂直パネルに持たせて係留してあり、幅木を壁に接着するための保持材として機能し、そのベース部分において、幅木の一片及び／又は仕上げたフロアの一部に乗っており、フロアを保持している、使用に際しての一可能性である。
【図２０】図２０は、新しいサポート材の第二実施例のオプションの概略断面図であり、拡張セットを使用して嵩上げされていて、その第１バージョンでは、最適取り付け形式として、内側に係留ブッシュを取り付けたベースを有する垂直パイプを示す。
【図２１】図２１は、図２０に示す細部Ａの拡大図である。
【図２２】図２２は、もう一つの取り付けオプションとして、外側に係留ブッシュを取り付けた垂直パイプのベース部分を示す。
【図２３】図２３は、拡張セットの第２バージョンを下から見た分解斜視図である。
【図２４】図２４は、図２３に示すアセンブリの使用時の組み立て位置における側部断面図である。
【００２９】
発明の対象
この発明特許が対象とするものは、「ＯＡフロアのサポート材の改善」であり、そのようなサポート材（１）は相当のプラスティック素材を用いて通常の射出成型工程によって製造され、第一実施例のオプション（１ａ）（図１から図１３）では、逆Ｕ字型セクション（２）と、その上に長手方向に、垂直バー（３）が中央に取付けられており、このバーの断面は望ましくは台形であって、上向きの小さいベースを具え、表層側フロアのプレート（Ｐ）のサイドエッジを受ける水平支持面（４）を二つに区切っている。
【００３０】
水平支持面（４）には、サポート材（１）を直接サブフロアに固定するための手段（５）が設けられており、これは垂直な下側カップ型パイプで構成されており、ベース中央部分に穴が開けられており、そこに固定用ネジ（ｐ）が貫通し、地面に直接ネジ止めされる。
【００３１】
サポート材（１）のセクション（２）の垂直壁（６）には、整列した無数の開口部（７）が設けられており、これは、あらゆる種類の配管やケーブル、同様にワイヤー（Ｆ）の通り道となるチャンネルを分けている。
【００３２】
サポート材（１）の第一実施例のオプション（１ａ）での簡素化されたバリエーション（１ａａ）（図８および図９）においては、上側バー（３）が無い状態で示されており、表層側フロアを支持する補助サポート材が形成されている。
【００３３】
新規サポート材（１）の第二実施例のオプション（１ｂ）（図１４から図２０）は、逆Ｔ字型形状のセクション（８）を具えており、その上側ブランチが、同じ中央のバー（３）又はクレストで構成されていて、これが表層側フロアのプレート（Ｐ）のサイドエッジを受ける二つの水平面（４）を均等に分けていて、下側では、Ｔ字型のセクション（８）が、固定用の垂直カップ型パイプ（５）で構成される支持、保持、及び係留手段（９）で取り付けられている。
【００３４】
サポート材（１）についての第二実施例のオプション（１ｂ）の簡素化したバリエーション（１ｂｂ）では、クレスト（３）のないものが示されている（図１９を参照）。
【００３５】
更に、図２０乃至図２４に示すとおり、サポート材（１）を最大１．２０ｍまで、更に高くする拡張セット（１０）が設けられており、その第１バージョン（図２０乃至図２２）は、垂直で、壁が厚いプラスティック製パイプ（１１）と、カップ型の係留ブッシュ（１２）とを具え、係留ブッシュの内側あるいは外側へ、垂直パイプ（１１）の下端部もしくはベース部を取付けて、カップ型（１）支持パイプ（５、９）の上端部の取り付け部分を受けている。
【００３６】
この拡張セット（１０）の第２バージョン（図２３および図２４）では、垂直パイプ（１１）が外ネジ（１３）が切られた下側のストレッチを提供しており、一方で、係留ブッシュ（１２）は中空で、下側に外向きのフランジ（１４）があり、内ネジ（１５）が切られていて、ここに、パイプ（１１）のネジが切られたストレッチ（１３）が捩じ込まれる。また、ロック用ナット（１６）が設けられており、パイプ（１０）のストレッチ（１３）にねじ込んで、パイプとブッシュ間に所望の高さで固定する。このネジ切りによって、レベル調整およびフロアのレベル調整を正確に行うことができる。
【００３７】
係留ブッシュ（１２）のフロアへの固定は、そのフランジ付ベース（１４）を接着して行い、固定工程を容易にし、工程数を減らす。
【図１】
2011503392.tif 000003
【図２】
2011503392.tif 000004
【図３】
2011503392.tif 000005
【図４】
2011503392.tif 000006
【図５】
2011503392.tif 000007
【図６】
2011503392.tif 000008
【図７】
2011503392.tif 000009
【図８】
2011503392.tif 000010
【図９】
2011503392.tif 000011
【図１０】
2011503392.tif 000012
【図１１】
2011503392.tif 000013
【図１２】
2011503392.tif 000014
【図１３】
2011503392.tif 000015
【図１４】
2011503392.tif 000016
【図１５】
2011503392.tif 000017
【図１６】
2011503392.tif 000018
【図１７】
2011503392.tif 000019
【図１８】
2011503392.tif 000020
【図１９】
2011503392.tif 000021
【図２０】
2011503392.tif 000022
【図２１】
2011503392.tif 000023
【図２２】
2011503392.tif 000024
【図２３】
2011503392.tif 000025
【図２４】
2011503392.tif 000026
【国際調査報告】
2011503392.tif 000027
2011503392.tif 000028
2011503392.tif 000029